(57)【要約】【課題】  表示ユニットが初期姿勢から突出姿勢に移行する際に、狭い面積の開口部から表示ユニットを突出させることができ、部分画面突出姿勢と全画面突出姿勢とで画面を同じ向きに設定できる表示装置を提供する。【解決手段】  駆動アーム３１が第２の回動中心軸Ｏ２を中心としてβ１方向へ回動すると、案内アーム２５とホルダ２１も第１の回動中心軸Ｏ１を中心としてα１へ回動する。ホルダ２１がストッパ２７に当たった後は、駆動アーム３１の回動力により、表示ユニット５がホルダ２１に対して直線軌跡でＬ１方向への移動し、表示ユニット５がカバー部材１の外部へ突出する。【選択図】図５
2014231238.tif 000002
【特許請求の範囲】
【請求項１】
表側に画面を有する表示ユニットと、前記表示ユニットを移動させる駆動機構とを有している表示装置において、
前記表示ユニットが、ホルダに対して、前記画面と平行な向きに直線軌跡で移動できるように支持されており、
前記駆動機構には、前記ホルダを回動させる回動案内機構と、前記ホルダが所定位置まで回動した後に、前記ホルダに対して前記表示ユニットを移動させる移動案内機構とが設けられていることを特徴とする表示装置。
【請求項２】
前記回動案内機構では、前記ホルダが、前記表示ユニットの背部側に位置して前記表示画面と平行に延びる第１の回動中心軸を中心として回動させられ、
前記移動案内機構では、前記ホルダが回動する円軌跡の接線方向である直線軌跡に沿って前記表示ユニットが移動させられる請求項１記載の表示装置。
【請求項３】
初期姿勢の前記表示ユニットはカバー部材の内側に退行し、
前記回動案内機構で前記ホルダが所定位置まで回動させられて停止したときに、前記表示ユニットの移動方向に向く前端部が前記カバー部材に形成された開口部に内側から対向し、または前記開口部の内部に位置し、
その後、前記移動案内機構によって、前記表示ユニットが前記開口部から前記カバー部材の外側へ突出させられる請求項１または２記載の表示装置。
【請求項４】
前記移動案内機構によって、前記表示ユニットは、前記表示画面の一部が前記カバー部材の外側へ突出した部分画面突出姿勢と、前記表示画面の全てが前記カバー部材の外側へ突出した全画面突出姿勢とで停止させられる請求項３記載の表示装置。
【請求項５】
前記部分画面突出姿勢が複数段階に設定され、それぞれの段階で、前記カバー部材からの前記表示画面の面積が相違する請求項４記載の表示装置。
【請求項６】
初期姿勢の前記表示ユニットはカバー部材の内側に退行し、
前記回動案内機構で前記ホルダが所定位置まで回動させられて停止したときに、前記表示ユニットの一部が前記カバー部材に形成された開口部から外側へ突出し、
その後、前記移動案内機構によって、前記表示ユニットが、前記カバー部材の外側へさらに突出させられる請求項１または２記載の表示装置。
【請求項７】
前記回動案内機構で前記ホルダが所定位置まで回動させられて停止し、前記表示ユニットの一部が前記開口部から外側へ突出したときに、前記表示画面の一部が前記カバー部材の外側へ突出した部分画面突出姿勢に設定される請求項６記載の表示装置。
【請求項８】
さらに、前記移動案内機構によって、前記表示ユニットが、前記表示画面の一部が前記カバー部材の外側へ突出した部分画面突出姿勢と、前記表示画面の全てが前記カバー部材の外側へ突出した全画面突出姿勢とで停止させられる請求項７記載の表示装置。
【請求項９】
前記部分画面突出姿勢が複数段階に設定され、それぞれの段階で、前記カバー部材からの前記表示画面の面積が相違する請求項８記載の表示装置。
【請求項１０】
前記移動案内機構では、前記第１の回動中心軸と平行に配置された第２の回動駆動軸を中心として回動する駆動アームが設けられ、前記駆動アームの先部が前記表示ユニットに相対移動自在に連結されており、
前記ホルダが所定位置まで回動して停止させられた後に、前記駆動アームの回動力によって、前記ホルダに対して前記表示ユニットが移動させられる請求項２記載の表示装置。
【請求項１１】
モータから前記駆動アームに回動力が与えられ、
前記駆動アームの回動力によって、前記ホルダが所定位置まで回動させられ、その後に、前記駆動アームの回動力によって、前記ホルダに対して前記表示ユニットが移動させられる請求項１０記載の表示装置。
【請求項１２】
前記ホルダを所定位置で停止させるストッパ機構が設けられている請求項１１記載の表示装置。
【請求項１３】
前記表示ユニットは、前記ホルダに対して初期姿勢に向けて退行するようにばね部材で付勢されている請求項１１または１２記載の表示装置。
【発明の詳細な説明】
【技術分野】
【０００１】
本発明は、車載用などとして用いられるものであり、表示パネルを初期姿勢から突出姿勢へ移動させる駆動機構が設けられた表示装置に関する。
【背景技術】
【０００２】
車載用の表示装置では、表示ユニットが表示装置を構成する筐体の内部に収納された初期姿勢から筐体の外方へ突出する突出姿勢へ移動するもの、または自動車の室内のインストルメントパネルやダッシュボードの内部に収納された初期姿勢から、外部に突出する突出姿勢へ移動するものが使用されている。
【０００３】
最近では、前記筐体またはインストルメントパネルやダッシュボードに上方に向けて開口する開口部が設けられ、この開口部から表示ユニットが上向きに突出し、突出姿勢となった表示ユニットが、開口部の上方に位置して、表示画面が車内に向けられるものも使用されている。
【０００４】
特許文献１に記載された表示装置では、初期姿勢の表示パネルが、筐体の内部で表示画面が下に向く水平姿勢に収納されている。この初期姿勢から表示パネルの前端部が開口部から突出しはじめ、表示パネルの全体が回動して突出姿勢となる。突出姿勢の表示パネルは、表示画面が開口部の上に位置して車室内に向けられる。
【０００５】
特許文献２に記載されたディプレイ装置は、表示パネルが初期姿勢のとき、表示画面が垂直な姿勢で収納状態となっており、表示パネルが垂直に持ち上げられて突出姿勢となり、この突出姿勢で表示画面に画像を表示できるようになる。
【先行技術文献】
【特許文献】
【０００６】
【特許文献１】特開２００８−７４３０３号公報
【特許文献２】特開２００１−３０８４８号公報
【発明の概要】
【発明が解決しようとする課題】
【０００７】
特許文献１に記載された表示装置では、初期姿勢において水平に近い状態で収納されている表示パネルが、筐体に形成された上向きの開口部内で回動しながら立ち上がって最終的に垂直姿勢に近い突出姿勢となる。開口部を通過している途中の表示パネルの角度姿勢の変化が大きいために、表示パネルを通過させるための開口部の開口面積を表示パネルの断面積よりも十分に大きくすることが必要となる。その結果、突出姿勢の表示パネルと開口部の内縁部との間に大きな隙間が形成されることになり、隙間内にゴミや埃さらには異物などが侵入しやすくなる。
【０００８】
また、車載用などの表示装置では、画面の全体が開口部の外側に位置する全画面突出姿勢と、画面の一部のみが開口部の外側に位置する部分画面突出姿勢とに設定できるようにすると、表示の多様性に対応できるようになる。しかし、特許文献１に記載された表示装置では、全画面突出姿勢では、画面が車室内に向けることができるが、部分画面突出姿勢では、画面が斜め下に向けられた状態であるため、表示画面の一部を車室内から目視することはできない。
【０００９】
特許文献２に記載されたディスプレイ装置では、表示パネルが回動することなく単に上下方向に直線的に移動する構造である。この装置では、筐体またはインストルメントパネルやダッシュボードに形成される上向きの開口部の開口面積を小さくでき、表示パネルを垂直姿勢のまま上昇させて部分画面突出姿勢とすることも可能である。
【００１０】
しかし、特許文献２に記載されたディスプレイ装置は、表示パネルの角度姿勢が変化することなく初期姿勢において垂直姿勢で収納されるため、車室内において表示装置の配置スペースを上下に高い領域に確保することが必要になる。自動車のインストルメントパネル内やダッシュボード内ではエアーコンディショナーの送風ダクトや音響機器など各種部材が配置されているため、車種によっては表示パネルを垂直姿勢で収納させておくことは困難である。
【００１１】
本発明は上記従来の課題を解決するものであり、突出姿勢とは異なる角度の初期姿勢で表示パネルを収納することができ、さらに、開口部を通過するときの表示パネルの角度変化を少なくしまたは角度変化をほとんどなくして、小さい開口面積の開口部から表示パネルを上向きに突出させることができる表示装置を提供することを目的としている。
【００１２】
また、表示パネルを部分画面突出姿勢に設定することも可能な表示装置を提供することを目的としている。
【課題を解決するための手段】
【００１３】
本発明は、表側に画面を有する表示ユニットと、前記表示ユニットを移動させる駆動機構とを有している表示装置において、
前記表示ユニットが、ホルダに対して、前記画面と平行な向きに直線軌跡で移動できるように支持されており、
前記駆動機構には、前記ホルダを回動させる回動案内機構と、前記ホルダが所定位置まで回動した後に、前記ホルダに対して前記表示ユニットを移動させる移動案内機構とが設けられていることを特徴とするものである。
【００１４】
例えば、前記回動案内機構では、前記ホルダが、前記表示ユニットの背部側に位置して前記表示画面と平行に延びる第１の回動中心軸を中心として回動させられ、
前記移動案内機構では、前記ホルダが回動する円軌跡の接線方向である直線軌跡に沿って前記表示ユニットが移動させられる。
【００１５】
本発明は、表示ユニットが初期姿勢から突出姿勢へ移行する際に、先にホルダが回動し、その後に表示ユニットがホルダ上で直線軌跡に沿って移動する。そのため、開口部を通過するときの表示ユニットの角度変化を少なくできまたは角度変化をほとんどなくすことができる。そのため、比較的小さい面積の開口部から表示パネルを上向きに突出させることができる。
【００１６】
また、初期姿勢から突出姿勢に向けて、表示ユニットが垂直方向へ単純に移動する構造ではないため、カバー部材の内部に表示装置を配置しやすくなる。
【００１７】
すなわち、本発明では、初期姿勢の前記表示ユニットはカバー部材の内側に退行し、
前記回動案内機構で前記ホルダが所定位置まで回動させられて停止したときに、前記表示ユニットの移動方向に向く前端部が前記カバー部材に形成された開口部に内側から対向し、または前記開口部の内部に位置し、
その後、前記移動案内機構によって、前記表示ユニットが前記開口部から前記カバー部材の外側へ突出させられるものとして構成できる。
【００１８】
この場合に、前記移動案内機構によって、前記表示ユニットは、前記表示画面の一部が前記カバー部材の外側へ突出した部分画面突出姿勢と、前記表示画面の全てが前記カバー部材の外側へ突出した全画面突出姿勢とで停止させられる。
【００１９】
さらに、前記部分画面突出姿勢が複数段階に設定され、それぞれの段階で、前記カバー部材からの前記表示画面の面積が相違するものとして構成できる。
【００２０】
または、本発明では、初期姿勢の前記表示ユニットはカバー部材の内側に退行し、
前記回動案内機構で前記ホルダが所定位置まで回動させられて停止したときに、前記表示ユニットの一部が前記カバー部材に形成された開口部から外側へ突出し、
その後、前記移動案内機構によって、前記表示ユニットが、前記カバー部材の外側へさらに突出させられるものとすることができる。
【００２１】
この場合に、前記回動案内機構で前記ホルダが所定位置まで回動させられて停止し、前記表示ユニットの一部が前記開口部から外側へ突出したときに、前記表示画面の一部が前記カバー部材の外側へ突出した部分画面突出姿勢に設定できる。
【００２２】
さらに、前記移動案内機構によって、前記表示ユニットが、前記表示画面の一部が前記カバー部材の外側へ突出した部分画面突出姿勢と、前記表示画面の全てが前記カバー部材の外側へ突出した全画面突出姿勢とで停止させられるものとすることができる。
【００２３】
そして、前記部分画面突出姿勢が複数段階に設定され、それぞれの段階で、前記カバー部材からの前記表示画面の面積が相違するものとして構成できる。
【００２４】
本発明では、表示ユニットが部分画面突出姿勢のときも、表示画面を目視しやすくなる。
【００２５】
本発明は、前記移動案内機構では、前記第１の回動中心軸と平行に配置された第２の回動駆動軸を中心として回動する駆動アームが設けられ、前記駆動アームの先部が前記表示ユニットに相対移動自在に連結されており、
前記ホルダが所定位置まで回動して停止させられた後に、前記駆動アームの回動力によって、前記ホルダに対して前記表示ユニットが移動させられるものとなる。
【００２６】
この場合に、モータから前記駆動アームに回動力が与えられ、前記駆動アームの回動力によって、前記ホルダが所定位置まで回動させられ、その後に、前記駆動アームの回動力によって、前記ホルダに対して前記表示ユニットが移動させられるものとして構成できる。
【００２７】
この構成では、１つのモータなどの動力源で、表示ユニットを初期姿勢から突出姿勢へ移動させることが可能である。
【００２８】
本発明は、前記ホルダを所定位置で停止させるストッパ機構が設けられているものが好ましく、前記表示ユニットは、前記ホルダに対して初期姿勢に向けて退行するようにばね部材で付勢されているものが好ましい。
【発明の効果】
【００２９】
本発明は、開口部を通過するときの表示パネルの角度変化を小さくできまたはほとんどなくすことができるので、比較的開口面積の小さい開口部から、表示ユニットを上向きに突出させることが可能である。また、初期姿勢から突出姿勢に向けて表示ユニットが垂直方向へ単純に移動する構造ではないため、カバー部材の内部に、垂直方向の広い設置スペースを設ける必要もない。
【００３０】
また、全画面突出姿勢のみならず部分画面突出姿勢でも、画面を見やすい姿勢に設置できるようになる。
【図面の簡単な説明】
【００３１】
【図１】本発明の実施の形態の表示装置を表側から示す斜視図、
【図２】本発明の実施の形態の表示装置を背部側から示す斜視図、
【図３】表示ユニットが初期姿勢のときの表示装置およびカバー部材を示す側面図、
【図４】ホルダが所定位置まで回動したときの表示装置およびカバー部材を示す側面図、
【図５】表示ユニットがホルダに対して直線軌跡で移動して部分画面突出姿勢となったときの表示装置およびカバー部材を示す側面図、
【図６】表示ユニットが全画面突出姿勢となったときの表示装置およびカバー部材を示す側面図、
【発明を実施するための形態】
【００３２】
図３に示すように、本発明の実施の形態の表示装置１０は、カバー部材１の内部に配置される。カバー部材１は、自動車の車室内のインストルメントパネルの一部またはダッシュボードの一部である。または、前記カバー部材１が表示装置１０の主要部を収納する筐体の一部であってもよい。
【００３３】
カバー部材１には上向きに解放された開口部２が設けられている。カバー部材１の下面には、開口部２を開閉できる遮蔽部材３が設けられている。遮蔽部材３は、表示装置１０に設けられた駆動機構１１の動力により開閉され、または表示装置１０とは別に設けられた開閉駆動機構によって開閉させられる。
【００３４】
図１と図２に示すように、表示装置１０は表示ユニット５を有している。表示ユニット５は、前端部５ａと後端部５ｂならびに左右の両側端部５ｃ，５ｃを有している。また広い面積の前面部５ｄと背面部５ｅを有している。
【００３５】
表示ユニット５は、ケース６を有している。ケース６の内部に表示パネルが収納されており、図１に示すように、その表示画面１２が表示ユニット５の前面部５ｄに現れている。表示パネルは、カラー液晶表示パネルやエレクトロルミネッセンス表示パネルなどの自己発光型表示パネルである。表示パネルの表面に、表示画面１２をタッチしてスイッチングを行うタッチパネルが一体化されているものであってもよい。
【００３６】
図２に示すように、表示ユニット５の背面部５ｅでは、ケース６の両側に溝部７が形成されている。図３に示すように、それぞれの溝部７内に移動軸８が収納されており、移動軸８の両端部が、前記ケース６の内部に固定されている。溝部７と移動軸８は、表示ユニット５の側端部５ｃと平行に延び、さらに表示画面１２と平行に延びている。
【００３７】
表示装置１０は、駆動機構１１などを支持する筐体を有しているが、この筐体の図示は省略している。
【００３８】
駆動機構１１は、回動案内機構２０と移動案内機構３０を有している。回動案内機構２０はホルダ２１を有している。図２に示すように、ホルダ２１の両側部に案内支持部２１ａ，２１ａが形成されている。図３に示すように、それぞれの案内支持部２１ａに軸受け部２２が一体に形成されている。またはホルダ２１と別体に構成された軸受け部２２が案内支持部２１ａに固定されている。軸受け部２２は、ケース６に形成された溝部７の内部に入り込み、移動軸８がそれぞれの軸受け部２２にスラスト方向へ移動自在に挿通されている。
【００３９】
一対の移動軸８は、表示ユニット５の前面部５ｄに現れている表示画面１２と平行で且つ側端部５ｃと平行に延びているため、表示ユニット５は、ホルダ２１に対して、表示画面１２と平行なＬ１−Ｌ２方向へ相対的に直線軌跡で移動できるように支持されている。
【００４０】
図３に示すように、ケース６に形成された溝部７の内部にばね部材９が収納されている。ばね部材９は圧縮コイルスプリングであり、移動軸８の外周に装着されて、溝部７の後端部７ｂと軸受け部２２との間に圧縮されて配置されている。このばね部材９によって、表示ユニット５はホルダ２１に対して常に下方（Ｌ２方向）に付勢されており、表示ユニット５に外力が作用していないときには、図３に示すように、溝部７の前端部７ａが軸受け部２２に当接した状態となっている。
【００４１】
図２に示すように、回動案内機構２０に案内アーム２５が設けられている。案内アーム２５は、基部に一対の軸受け穴２５ａ，２５ａが形成されており、それぞれの軸受け穴２５ａ，２５ａが第１の回動中心軸Ｏ１に回動自在に支持されている。第１の回動中心軸Ｏ１は軸受け穴２５ａ，２５ａに隙間なく挿通される断面が円形の軸であり、その両端部が筐体に固定されている。ただし、各図では第１の回動中心軸Ｏ１の軸中心線のみが示されている。
【００４２】
図２に示すように、案内アーム２５の先部には連結部２５ｂ，２５ｂが設けられている。ホルダ２１の背部に連結ブラケット２４，２４が一体に形成されており、それぞれの連結ブラケット２４と、案内アーム２５の連結部２５ｂとが、連結軸２８で回動自在に連結されている。
【００４３】
表示装置１０では、回動案内機構２０に設けられた案内アーム２５が、第１の回動中心軸Ｏ１を中心として回動し、これによりホルダ２１が第１の回動中心軸Ｏ１を中心として回動する。第１の回動中心軸Ｏ１は、表示ユニット５の背面部５ｅから後方に離れた位置で、表示画面１２と平行で且つ表示ユニット５の前端部５ａならびに後端部５ｂと平行に延びている。したがって、案内アーム２５が回動すると、ホルダ２１に支持されている表示ユニット５が、第１の回動中心軸Ｏ１を中心として円弧軌跡に沿って図３に示すα１−α２方向へ回動し、表示ユニット５の前面部５ｄに現れている表示画面１２も第１の回動中心軸Ｏ１を中心として円弧軌跡に沿って回動する。
【００４４】
図２などに示すように、ホルダ２１の両側部に当接部２６，２６が形成されている。図４に示すように、表示装置１０の筐体に一対のストッパ２７、２７が設けられており、当接部２６とストッパ２７とでストッパ機構が構成されている。案内アーム２５がα１方向へ回動してホルダ２１が図４に示す所定位置に至ると、当接部２６がストッパ２７に当たり、ホルダ２１がそれ以上α１方向へ回動しないように規制される。
【００４５】
図２に示すように、駆動機構１１の移動案内機構３０では、左右両側に駆動アーム３１が設けられている。駆動アーム３１の基部には固定穴３１ａが形成されており、一対の駆動アーム３１，３１の固定穴３１ａ，３１ａが第２の回動中心軸Ｏ２に固定されている。第２の回動中心軸Ｏ２は断面が円形の軸であり、それぞれの固定穴３１ａが第２の回動中心軸Ｏ２に固定されている。ただし、各図では第２の回動中心軸Ｏ２の軸中心線のみが示されている。
【００４６】
第２の回動中心軸Ｏ２の両端部は、表示装置１０の筐体の両側板に設けられた軸受け部に回動自在に支持されている。よって、左右一対の駆動アーム３１，３１は互いに同期して図３に示すβ１−β２方向へ回動可能となっている。
【００４７】
図２に示すように、それぞれの駆動アーム３１，３１の先部に駆動長穴３１ｂが形成されている。表示ユニット５の側端部５ｃ，５ｃでは、後端部５ｂに近い位置に連結摺動軸３２が突出しており、この連結摺動軸３２，３２が駆動長穴３１ｂ，３１ｂに摺動自在に挿入されている。
【００４８】
図２に示すように、駆動機構１１には駆動軸３３が設けられている。駆動軸３３は、筐体の両側板に設けられた軸受け部に回動自在に支持されている。駆動軸３３には、左右両側に離れた位置に駆動歯車３４，３４が固定されている。駆動軸３３と駆動歯車３４，３４は一体となって回転する。それぞれの駆動アーム３１の基部には、減速歯車３５が一体に形成されている。減速歯車３５は、第２の回動中心軸Ｏ２を中心とする円形のピッチ円を有している。それぞれの駆動歯車３４は減速歯車３５と噛み合っている。
【００４９】
図２に示すように、駆動軸３３にクラッチ３６が固定され、このクラッチ３６に伝達歯車３７が連結されている。筐体に設けられたモータ３８の動力は、図示しない減速歯車列によって減速されて伝達歯車３７に伝達される。伝達歯車３７に伝達される動力によって駆動軸３３が回転駆動されるが、駆動軸３３に作用する負荷が過大になると、クラッチ３６によって動力伝達が断たれ、駆動軸３３が停止した状態で、伝達歯車３７が回転できるようになっている。
【００５０】
次に、前記表示装置１０の動作を説明する。
図３は、表示ユニット５がカバー部材１の内部に収納された初期姿勢となっている状態を示している。図３では、駆動機構１１に設けられたモータ３８の動力で駆動軸３３が駆動されて、駆動アーム３１がβ２方向へ回動させられている。筐体には図示しないストッパ部が設けられており、駆動アーム３１が図３の状態よりもさらにβ２方向へ回動するのが規制されている。
【００５１】
図３に示すように、表示ユニット５は、ばね部材９によって、ホルダ２１に対してＬ２方向へ付勢され、ケース６に形成された溝部７の前端部７ａが軸受け部２２に突き当てられている。そのため、ホルダ２１と表示ユニット５は一体化されており、図３に示すように、駆動アーム３１がβ２方向へ回動させられていると、表示ユニット５が引き下げられているとともに、ホルダ２１に連結されている案内アーム２５がα２方向へ回動させられている。
【００５２】
図３に示す初期姿勢の表示ユニット５は前端部５ａが、カバー部材１の開口部２よりも下側に位置しており、開口部２は遮蔽部材３で閉じられている。
【００５３】
図３に示すように、初期姿勢の表示ユニット５は、図６に示す突出姿勢と同じ角度姿勢ではなく、前端部５ａよりも後端部５ｂが後方側（図示右方向）に位置する傾斜姿勢となっている。そのため、図３の左側において、表示ユニット５の前面部５ｄとカバー部材１との間に比較的広い空間を確保することができ、この空間に、エアーコンディショナーの送風ダクトや音響機器などの各種部材を配置することが可能である。
【００５４】
図示しない操作部において、表示ユニット５を表示可能な位置へ突出させるために操作が行われると、駆動機構１１のモータ３８が始動する。これに応じて遮蔽部材３が移動して開口部２が解放される。
【００５５】
モータ３８の動力は図１と図２に示す伝達歯車３７に伝達され、クラッチ３６を介して駆動軸３３が回転させられる。駆動軸３３の回転力は駆動歯車３４から減速歯車３５に伝達され、左右両側の駆動アーム３１，３１が同期してβ１方向へ回動させられる。駆動アーム３１，３１のβ１方向への回動に伴って、表示ユニット５とホルダ２１とが回動させられ、ホルダ２１の回動に追従して案内アーム２５がα１方向へ回動させられる。
【００５６】
α１方向へ回動するホルダ２１が図４に示す所定位置まで回動すると、ホルダ２１に設けられた当接部２６がストッパ２７に当たり、それ以上は、案内アーム２５とホルダ２１がα１方向へ回動できなくなる。
【００５７】
図４に示すように、ホルダ２１が所定位置まで回動した時点で、表示ユニット５の前端部５ａを含む一部分が、カバー部材１の開口部２から外側に突出する。
【００５８】
ホルダ２１が図４に示す所定位置へ回動して停止した後も、モータ３８は継続して動作しており、駆動アーム３１がβ１方向へ回動し続ける。駆動アーム３１のβ１方向への回動力によって、ケース６に固定された移動軸８が、ホルダに設けられた軸受け部２２を摺動し、表示ユニット５が、ホルダ２１に対してＬ１方向へ直線軌跡に沿って移動する。
【００５９】
その結果、図５に示すように、表示ユニット５が、開口部２の内部を通過してＬ１方向へ上昇し、図６に示すように、表示画面１２全体がカバー部材１の外側に出る全画面突出姿勢となる。この時点で、モータ３８が停止する。
【００６０】
このように、表示ユニット５が図３の初期姿勢にある状態からモータ３８が始動すると、ホルダ２１が第１の回動中心軸Ｏ１を中心とする円弧軌跡に沿ってα１方向へ回動し、図４に示すようにホルダ２１が所定位置まで回動しストッパ２７で停止させられた後は、表示ユニット５が、ホルダ２１の回動軌跡の円弧軌跡の接線方向である直線軌跡に沿ってＬ１方向へ移動して、表示ユニット５が開口部２からカバー部材１の外部へ向けて移動する。
【００６１】
図３の状態から図４の状態にかけて、表示ユニット５は角度姿勢を少しだけ変化させながら開口部２を通過するが、図４の状態から図６に示す全画面突出姿勢にかけて、表示ユニット５が表示画面１２と平行なＬ１方向へ直線軌跡で移動するため、表示ユニット５が開口部２の縁部に当たることがない。表示ユニット５が開口部２を通過するときの角度姿勢の変化はわずかであり、または角度姿勢の変化はほとんどない。そのため、開口部２の開口面積を最小にしても、表示ユニット５を通過させることができ、表示ユニット５が開口部２を通過しているときの、表示ユニット５と開口部２との隙間を最小にできる。
【００６２】
表示ユニット５は、図４に示す状態から、図５に示すように表示画面１２の一部がカバー部材１の外側に出た部分画面突出姿勢を経て図６に示す全画面突出姿勢に至るまで、表示画面１２の向き（傾斜角度）が変化しない。そのため、表示ユニット５が部分画面突出姿勢と全画面突出姿勢の何れの姿勢であっても表示画面１２が見やすくなる。
【００６３】
例えば、図５に示す部分画面突出姿勢でモータ３８を止め、表示画面１２の前端部５ａ側の領域に文字情報やアイコンなどの小さな画像などを表示させることができる。また、図６に示す全画面突出姿勢では、ナビゲーションシステムの地図画像やテレビ放送の受信画像などを広い画面領域に表示させることができる。全画面突出姿勢と部分画面突出姿勢の双方で表示画面１２に画像などを表示させることで、表示する情報量の多少に応じて使用する画面の大きさを変化させることが可能となる。
【００６４】
なお、図４に示すように、ホルダ２１がストッパ２７に当たったときに、モータ３８を停止させて、表示ユニット５をその一部が開口部２からカバー部材１の外側へ突出した状態で停止させることができる。この状態を部分画面突出姿勢として使用し、カバー部材１から突出している表示画面１２の前端部５ａ側の一部の領域に文字情報などを表示させてもよい。
【００６５】
また、本発明では、図４に示すように、ホルダ２１がストッパ２７に当たる所定位置まで回動したときに、表示ユニット５の前端部５ａが開口部２よりも下側に位置していてもよいし、または、前端部５ａが開口部２の内部でカバー１と略同一面上に位置してもよい。
【００６６】
さらに、図６に示す全画面突出姿勢へ至るまでの間に、カバー部材１からの表示画面１２の突出面積が異なる複数段階の位置でモータ３８を停止させて、表示画面１２の表示領域の面積が相違する部分画面突出姿勢を複数段階に設定することもできる。
【００６７】
表示ユニット５を収納するときは、モータ３８によって駆動アーム３１をβ２方向へ回動させる。
【００６８】
図５に示す部分画面突出姿勢や、図６に示す全画面突出姿勢では、図３に示すばね部材９が圧縮されており、ケース６内では、ばね部材９によって、軸受け部２２が常に上方へ押されている。よって、駆動アーム３１がβ２方向へ回動するときに、ホルダ２１は図４に示す所定位置に停止したままで、表示ユニット５がＬ２方向へ移動して下降する。そして、表示ユニット５が図４に示す姿勢まで下降した後は、駆動アーム３１のβ２方向への回動に伴って、ホルダ２１を支持する案内アーム２５がα２方向へ回動し、図３に示す初期姿勢に復帰する。
【符号の説明】
【００６９】
Ｏ１  第１の回動中心軸
Ｏ２  第２の回動中心軸
１  カバー部材
２  開口部
５  表示ユニット
５ａ  前端部
５ｂ  後端部
５ｄ  前面部
５ｅ  背面部
６  ケース
７  溝部
８  移動軸
９  ばね部材
１０  表示装置
１１  駆動機構
１２  表示画面
２０  回動案内機構
２１  ホルダ
２２  軸受け部
２５  案内アーム
２６  当接部
２７  ストッパ
３０  移動案内機構
３１  駆動アーム
３８  モータ
【図１】
2014231238.tif 000003
【図２】
2014231238.tif 000004
【図３】
2014231238.tif 000005
【図４】
2014231238.tif 000006
【図５】
2014231238.tif 000007
【図６】
2014231238.tif 000008